(57)【特許請求の範囲】
【請求項１】
吸入ノズルと、
本体吸入部を持ち、該本体吸入部が前記吸入ノズルと連結されている本体と、
該本体に着脱可能に装着される第１次サイクロン部を含む集塵ユニットと、
前記本体に備えられる第２次サイクロン部と、
前記本体に装着され、前記第２次サイクロン部の少なくとも一部分をカバーして前記第２次サイクロン部から発生するノイズを低減させるカバー部材と、を含み、
前記集塵ユニットは、前記第１次サイクロン部から分離された塵埃が捕集される第１塵埃捕集部と、前記第２次サイクロン部から分離された塵埃が捕集される第２塵埃捕集部と、を含み、
前記本体に流入される空気は、前記第１次サイクロン部を経た後に第２次サイクロン部を経て、
前記集塵ユニットは、前記本体から前記第１次サイクロン部と共に、前記カバーと前記第２次サイクロン部とを伴うことなく取り外し可能としたことを特徴とする真空掃除機。
【請求項２】
前記第２次サイクロン部は、複数個の小サイクロンを含むことを特徴とする請求項１に記載の真空掃除機。
【請求項３】
前記複数個の小サイクロンは、並列に配置されることを特徴とする請求項２に記載の真空掃除機。
【請求項４】
前記複数個の小サイクロンは、扇形の形状に配置されることを特徴とする請求項２に記載の真空掃除機。
【請求項５】
前記カバー部材は、前記第２次サイクロン部と対応する形状に形成されることを特徴とする請求項１に記載の真空掃除機。
【請求項６】
前記第２次サイクロン部と前記カバー部材との間には、前記第２次サイクロン部から発生するノイズが低減されるようにする空間が形成されることを特徴とする請求項１に記載の真空掃除機。
【請求項７】
前記第２次サイクロン部と前記カバー部材との間には、前記第２次サイクロン部から発生するノイズ及び振動を吸収する低減部材が提供されることを特徴とする請求項１に記載の真空掃除機。
【請求項８】
前記カバー部材の内側面には、複数個のノイズ低減溝が形成されることを特徴とする請求項１に記載の真空掃除機。
【発明の詳細な説明】
【技術分野】
【０００１】
本発明は、真空掃除機に関し、特に、サイクロン分離部で塵埃が分離される過程で発生する振動及びノイズを低減する真空掃除機に関する。
【背景技術】
【０００２】
一般に、真空掃除機は、本体の内部に装着されるモータによって発生する吸入力を用いて、塵埃が含まれた空気を吸入した後、塵埃分離装置内で塵埃をフィルタリングする装置である。
【０００３】
かかる真空掃除機は、被掃除面の塵埃が含まれた空気を吸入する吸入ノズルが本体と別途に備えられて、連結管によって連結されるキャニスタ方式と、吸入ノズルが一体に形成されるアップライト方式に区別することができる。
【０００４】
一方、最近、サイクロン方式によって塵埃を分離し、分離された塵埃が集塵ユニットの内部に捕集されるようにする方式が主に使われる。また、サイクロン方式で塵埃が分離されるようにするために、前記集塵ユニットには、複数個のサイクロン部が備えられる。
【０００５】
上記のような構成からなる真空掃除機の作動を簡単に説明する。吸入力発生手段の駆動によって吸入力が発生すると、前記吸入ノズルに塵埃が含まれた空気が吸入され、吸入された空気は、延長管を通して本体内部に吸入される。また、本体内部に吸入された塵埃が含まれた空気は、所定の流路を経て集塵ユニットの内部に流入され、前記サイクロン部の内壁面に沿って旋回する。
【０００６】
この過程で、空気と塵埃は、その重量差によってそれぞれ異なる遠心力を受けながら、相互間の分離が行われる。また、分離された塵埃は、前記集塵ユニット内部に捕集され、塵埃が分離された空気は、本体の一側に形成されている排出部を通して外部に排出される。
【０００７】
上述したように、塵埃が含まれた空気は、真空モータによって発生された吸入力によって外部から前記サイクロン部の内部に吸入され、前記サイクロン部で塵埃と空気が分離される。このような過程で、空気の流動などにより、振動及びノイズが発生することになる。
【発明の開示】
【発明が解決しようとする課題】
【０００８】
ところで、従来の真空掃除機の場合、前記サイクロン部で塵埃が分離される過程で発生する振動及びノイズを低減させるための別途の構造が備えられず、ノイズ及び振動によるユーザの不満を引き起こす問題があった。
【０００９】
本発明は、上述の問題点に鑑みてなされたもので、その目的は、サイクロン分離部で塵埃が分離される過程で発生する振動及びノイズを低減する真空掃除機を提供することにある。
【００１０】
また、本発明の他の目的は、サイクロン分離部から発生する振動及びノイズを低減し、ユーザの不満が解消する真空掃除機を提供することにある。
【課題を解決するための手段】
【００１１】
上記目的を達成すべく、本発明に一観点による真空掃除機は、本体と、前記本体に提供されるサイクロン塵埃分離部と、前記本体に装着され、前記サイクロン塵埃分離部の少なくとも一部分をカバーして前記サイクロン塵埃分離部から発生するノイズを低減させるカバー部材と、を含むことを特徴とする。
【００１２】
本発明の他の観点による真空掃除機は、本体と、前記本体に吸入される空気中の塵埃を分離させる主サイクロン塵埃分離部と、前記主サイクロン塵埃分離部から排出された空気中の塵埃を分離させる補助サイクロン塵埃分離部と、前記本体に着脱可能であり、前記主サイクロン塵埃分離部及び補助サイクロン塵埃分離部から分離された塵埃が捕集される集塵体と、前記補助サイクロン塵埃分離部から発生するノイズを減少させるために、前記補助サイクロン塵埃分離部の少なくとも一部分をカバーするカバー部材と、を含むことを特徴とする。
【発明の効果】
【００１３】
本発明によれば、塵埃を分離させる複数個の小サイクロンから構成されるサイクロン分離部の外部面の少なくとも一部がカバー部材によって覆われることによって、サイクロン分離部で塵埃が分離される過程で発生する振動及びノイズが低減する効果がある。
【００１４】
また、前記カバー部材が前記サイクロン分離部と離隔して備えられることにより、前記カバー部材とサイクロン分離部との間に所定の空間が形成され、前記空間によって外部にノイズが流出されることを遮断する効果がある。
【発明を実施するための最良の形態】
【００１５】
以下、本発明の実施形態を、添付図面に基づいて詳述する。
【００１６】
図１は、本発明の思想による塵埃分離装置が備えられている真空掃除機の外観斜視図である。
【００１７】
図１に示すように、本発明の思想による塵埃分離装置が備えられている真空掃除機１０は、掃除機本体１００と、前記掃除機本体１００に吸入された空気中の塵埃を分離及び捕集する塵埃分離装置とを含む。
【００１８】
また、図示していないが、塵埃が含まれた空気を吸入する吸入ノズルと、前記吸入ノズルを前記掃除機本体１００に連結させる連結管とを含む。
【００１９】
本実施形態において、前記吸入ノズル及び連結管の基本的な構成は、従来と同様であるため、詳細な説明は省略する。
【００２０】
詳しくは、前記掃除機本体１００の前面下段部には、前記吸入ノズル（図示せず）に吸入された塵埃が含まれた空気が吸入される本体吸入部１１０が形成される。また、前記掃除機本体１００の一側には、塵埃が分離された空気が排出される本体排出部（図示せず）が形成される。
【００２１】
また、前記掃除機本体１００の上部には、把持可能なように本体取っ手部１２０が形成される。
【００２２】
一方、前記塵埃分離装置は、空気中に含まれている塵埃が捕集される集塵ユニット２００と、前記掃除機本体１００に備えられ、前記掃除機本体１００に吸入された空気中の塵埃をサイクロン方式で分離させるサイクロン分離部３００から構成される。
【００２３】
詳しくは、集塵ユニット２００は、前記掃除機本体１００の前方部に着脱可能に装着される。このとき、前記集塵ユニット２００が前記掃除機本体１００に着脱可能であるように、前記掃除機本体１００の前方上側部には、着脱レバー１３０が備えられる。
【００２４】
ここで、本発明の集塵ユニット２００は、前記サイクロン分離部３００によって分離された塵埃が捕集されるようにする役割以外に、前記サイクロン分離部３００に流入される空気中の塵埃がサイクロン方式によって一次的に空気と分離されるようにする役割を果たす。
【００２５】
よって、前記集塵ユニット２００は、内部でサイクロン流動を発生させると同時に、サイクロン流動によって分離された塵埃が捕集される塵埃捕集部が形成される集塵体２１０を含む。
【００２６】
よって、本実施形態によれば、前記集塵体２１０は、第１次サイクロン部になり、前記サイクロン分離部３００は第２次サイクロン部になる。
【００２７】
また、前記サイクロン分離部３００で塵埃が分離される過程で発生する振動及びノイズが低減するように、前記掃除機本体１００には、前記サイクロン分離部３００の外部面の少なくとも一部をカバーするカバー部材３１０が備えられる。
【００２８】
詳しくは、前記集塵ユニット２００は、上述のように前記掃除機本体１００に着脱可能に装着され、前記集塵ユニット２００が前記掃除機本体１００に装着されることによって、前記サイクロン分離部３００と連通される。
【００２９】
また、前記サイクロン分離部３００は、略円錐状の小サイクロン３０１が複数個備えられ、全体として扇形の形状に形成され、前記掃除機本体１００の前方上部に備えられる。すなわち、複数個の小サイクロン３０１が前記サイクロン分離部３００をなす。
【００３０】
また、前記掃除機本体１００の内部には、前記集塵ユニット２００と前記サイクロン分離部３００を連結する連結流路（図示せず）が備えられる。また、前記サイクロン分離部３００で分離された塵埃は、前記集塵ユニット２００の内部に捕集される。
【００３１】
よって、前記集塵体２１０には、前記サイクロン分離部３００で分離された塵埃が捕集される塵埃捕集部が、前記第１サイクロン部から分離された塵埃が捕集される塵埃捕集部と別途に形成される。
【００３２】
すなわち、前記集塵体２１０に形成される塵埃捕集部は、前記集塵体２１０の内部から分離された塵埃が捕集される第１塵埃捕集部と、前記サイクロン分離部３００によって分離された塵埃が捕集される第２塵埃捕集部とを含むことができる。
【００３３】
また、前記カバー部材３１０は、前記掃除機本体１００に着脱可能に備えられる。
【００３４】
このために図示していないが、前記カバー部材３１０には、締結フックが形成されることができ、前記掃除機本体１００には、前記締結フックと、係止作用が行われるフック係止部が形成されることができる。それ以外にも、前記カバー部材３１０は、フック方式以外に、様々な方式で前記掃除機本体１００に結合されることができる。
【００３５】
また、前記カバー部材３１０は、ユーザが外部から前記サイクロン分離部３００での塵埃分離過程を視認することができるように、透明な材質で形成されることができる。勿論、前記サイクロン分離部３００も透明な材質で形成されることができる。
【００３６】
上記の構成によって真空掃除機１０の作用について簡単に説明する。
【００３７】
まず、真空掃除機１０に電源が印加されて掃除機本体１００が作動すれば、内部に備えられている真空モータによって吸入力が発生する。また、前記吸入力によって吸入ノズルに吸入された塵埃が含まれている空気は、連結管及び掃除機本体１００の内部に形成されている所定の流路に沿って前記集塵ユニット２００に吸入される。
【００３８】
また、塵埃が含まれた空気が集塵ユニット２００に吸入されれば、吸入された空気は、前記集塵体２１０の内部で塵埃が一次的に分離される。また、分離された塵埃は、前記集塵体２１０の内部に捕集される一方、塵埃が分離された空気は、集塵ユニット２００から排出され、前記掃除機本体１００に流入し、前記掃除機本体１００に備えられている連結流路によって前記サイクロン分離部３００に流入される。
【００３９】
また、前記サイクロン分離部３００に流入された空気は、再度塵埃が分離され、分離された塵埃は、前記集塵ユニット２００の内部に流入されて捕集される。反面、塵埃が分離された空気は、掃除機本体１００の内部の所定の流路に沿って流動した後、最終的に本体排出部を通して外部に排出される。
【００４０】
図２は、図１のＩ−Ｉ´線の断面図である。
【００４１】
図２に示すように、本発明の思想による真空掃除機１０は、前記サイクロン分離部３００の外部面の少なくとも一部分がカバー部材３１０によって覆われ、前記サイクロン分離部３００で塵埃が分離される過程で発生する振動及びノイズを低減するように構成される。
【００４２】
また、前記サイクロン分離部３００は、少なくとも１つ以上の小サイクロン３０１が並列に配置され、前記集塵ユニット２００から排出された空気が各小サイクロン３０１に分離され流入されるようにする。
【００４３】
ここで、図２には、小サイクロン３０１が４個備えられることを示すが、本発明の思想は前記小サイクロンの数に制限されないことを明らかにしておく。
【００４４】
詳しくは、塵埃が含まれた空気が順次前記集塵ユニット２００の内部を流動した後に前記サイクロン分離部３００に流入されるため、前記集塵ユニット２００と前記サイクロン分離部３００は、直列に連結されることが分かる。
【００４５】
一方、前記集塵ユニット２００から排出された空気は、所定の連結流路を通して前記サイクロン分離部３００に移動し、図２に示すように、前記サイクロン分離部３００の入口で分けられて前記各小サイクロン３０１に流入される。また、前記各小サイクロン３０１に流入された空気は、その内部で各々塵埃が分離される。
【００４６】
すなわち、前記集塵ユニット２００から排出された空気が前記各小サイクロン３０１のうちのいずれか１つを通過した後、他の小サイクロン３０１を通過するのではなく、同時に前記各小サイクロン部３０１に流入されるのである。
【００４７】
よって、本実施形態において、前記サイクロン分離部３００は、同じ機能を有する小サイクロン３０１が複数個並列に配置されることであることが明確に分かる。
【００４８】
このとき、前記複数個の小サイクロン３０１が並列に備えられるという思想は、同一または異なる大きさ及び形状を有する小サイクロン３０１がジグザグに配置されるか、或いは、平行に配置されるなどの全ての配置方法が含まれ、このような場合にも、前記集塵ユニット２００から排出された空気が前記各小サイクロン３０１に同時に流入されることは勿論である。
【００４９】
また、前記カバー部材３１０は、前記サイクロン分離部３００と対応する形状で形成され、前記サイクロン分離部３００の外部面の少なくとも一部を覆う。これにより、前記カバー部材３１０の前記サイクロン分離部３００を覆う部分は、前記掃除機本体１００の外部面を形成することになる。
【００５０】
よって、前記カバー部材３１０により、前記サイクロン分離部３００で塵埃が分離される過程で発生する振動及びノイズが遮断される。
【００５１】
また、前記カバー部材３１０が前記サイクロン分離部３００と対応する形状に形成されることによって、美感が向上する。
【００５２】
一方、前記カバー部材３１０と前記サイクロン分離部３００との間には、前記サイクロン分離部３００で発生するノイズが効果的に遮断されるように、所定の空間３０２が形成され得る。
【００５３】
すなわち、前記サイクロン分離部３００で発生するノイズが前記空間３０２によって一次的に遮断され、前記カバー部材３１０によって二次的に遮断されるようにすることによって、より効果的にノイズを遮断させる。
【００５４】
ここで、前記カバー部材３１０は、前記サイクロン分離部３００と対応する形状に形成されるが、本実施形態は前記カバー部材３１０の形状に制限されず、前記カバー部材３１０は、様々な形状に形成されることができることを明らかにしておく。
【００５５】
また、前記カバー部材３１０は、前記サイクロン分離部３００から離隔される位置に備えられるが、これとは異なって、前記カバー部材３１０が前記サイクロン分離部３００と密着されるように構成されることができ、この場合には、振動低減の側面において、より効果的であり得る。
【００５６】
図３は、本発明の他の実施形態に係る図１のＩ−Ｉ´線の断面図である。
【００５７】
図３に示すように、本実施形態に係るカバー部材３１０は、前記サイクロン分離部３００と離隔された位置で前記サイクロン分離部３００の外側をカバーする。これにより、前記サイクロン分離部３００と前記カバー部材３１０との間には、所定の空間３０２が形成される。
【００５８】
また、前記カバー部材３１０の内側面には、前記サイクロン分離部３００で塵埃が分離される過程で発生するノイズを減少させる複数個のノイズ低減溝３１２が形成される。
【００５９】
すなわち、音は縦波に該当する波動で、このような音が壁面に当って撥ねかえることになり、前記サイクロン分離部３００で発生したノイズが前記ノイズ低減溝３１２に投射されれば、前記ノイズ低減溝３１２に閉じ込められて消滅または前記ノイズ低減溝３１２の内部に吸収されるか、或いは、乱反射を起こして、相互相殺されるため、ノイズ低減の効果を得ることができる。
【００６０】
よって、本実施形態によれば、前記カバー部材３１０とサイクロン分離部３００との間の空間３０２によって一次的にノイズが遮断され、前記ノイズ低減溝３１２によって二次的にノイズが低減され、前記カバー部材３１０によって三次的にノイズが遮断されるによって、より効果的にノイズを低減及び遮断させることができる。
【００６１】
図４は、本発明の他の実施形態に係る図１のＩ−Ｉ´線の断面図である。
【００６２】
図４に示すように、本実施形態に係るカバー部材３１０は、前記サイクロン分離部３００の外側をカバーし、前記サイクロン分離部３００と前記カバー部材３１０との間には、ノイズを吸収または遮断するノイズ低減部材３２０が提供される。
【００６３】
詳しくは、前記ノイズ低減部材３２０は、前記サイクロン分離部３００と対応する形状に形成され、前記サイクロン分離部３００の外面を覆うように構成される。
【００６４】
また、前記カバー部材３１０は、前記ノイズ低減部材３２０が前記サイクロン分離部３００の外面を覆った状態で前記サイクロン分離部３００の外側をカバーする。
【００６５】
また、前記ノイズ低減部材３２０は、多孔性材質で形成されて、ノイズが吸入されるようにする吸音材や、ノイズが遮断されるようにする遮音材など、様々な種類が使用され得る。
【００６６】
本実施形態によれば、前記カバー部材３１０とサイクロン分離部３００との間にノイズを吸収または遮断するノイズ低減部材３２０が提供されることによって、前記サイクロン分離部３００で発生するノイズが一次的に吸収または遮断され、前記カバー部材３１０によって二次的にノイズが低減及び遮断される効果がある。
【００６７】
また、前記ノイズ低減部３２０が前記サイクロン分離部３００を覆うように構成されることによって、前記サイクロン分離部３００で発生する振動が低減できるようになる。
【００６８】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６９】
【図１】本発明の思想による塵埃分離装置が備えられた真空掃除機の外観斜視図である。
【図２】図１のＩ−Ｉ´線の断面図である。
【図３】本発明の他の実施形態に係る図１のＩ−Ｉ´線の断面図である。
【図４】本発明のさらに他の実施形態に係る図１のＩ−Ｉ´線の断面図である。
【符号の説明】
【００７０】
１０    真空掃除機
１００    掃除機本体
１１０    本体吸入部
１２０    本体取っ手部
１３０    着脱レバー
２００    集塵ユニット
２１０    集塵体
３００    サイクロン分離部
３０１    小サイクロン
３０２    空間
３１０    カバー部材
３１２    ノイズ低減溝
３２０    ノイズ低減部材
【図１】
0004824535.tif 000002
【図２】
0004824535.tif 000003
【図３】
0004824535.tif 000004
【図４】
0004824535.tif 000005